(57)【特許請求の範囲】
【請求項１】
画像データを出力するソース機器に対してＤｉｓｐｌａｙＰｏｒｔ規格に準拠したインターフェイスを介して接続される表示装置であって、
前記ソース機器から入力された画像データに基づく画像を表示する表示手段と、
前記ソース機器と制御情報を送受信して、前記ソース機器から出力される画像データの伝送路容量を含む伝送条件を設定する接続制御として、ＤｉｓｐｌａｙＰｏｒｔ規格に規定されたリンクトレーニングを実行し、前記伝送条件として画像データの転送に使用するメインリンクの使用レーン数及び各レーンのデータ転送レートを設定する接続制御手段と、
前記接続制御の後に、前記ソース機器から入力される画像データが前記伝送条件に適合するか否かを、前記リンクトレーニングで設定されたメインリンクの使用レーン数及び各レーンのデータ転送レートと、前記ソース機器から入力された画像データの転送に必要な伝送路容量とを比較することで判定する判定手段と、
前記判定手段によって、前記ソース機器から入力される画像データが前記伝送条件に適合しないと判定された場合に、前記ソース機器に対して前記接続制御の再実行を要求する要求手段と、
を備えたことを特徴とする表示装置。
【請求項２】
画像データを出力するソース機器に対して所定のインターフェイスを介して接続される表示装置であって、
前記ソース機器から入力された画像データに基づく画像を表示する表示手段と、
前記ソース機器と制御情報を送受信して、前記ソース機器から出力される画像データの伝送路容量を含む伝送条件を設定する接続制御を実行する接続制御手段と、
前記接続制御の後に、前記ソース機器から入力される画像データが前記伝送条件に適合するか否かを判定する判定手段と、
前記判定手段によって、前記ソース機器から入力される画像データが前記伝送条件に適合しないと判定された場合に、前記ソース機器に対して前記接続制御の再実行を要求する要求手段と、
を備え、
前記要求手段は、前記接続制御の再実行を要求した回数を計数する機能を備え、
前記判定手段によって、前記ソース機器から入力される画像データが前記伝送条件に適合しないと判定され、それ以前に前記要求手段が前記接続制御の再実行を要求した回数が所定の制限回数に達した場合、前記要求手段は、前記ソース機器に対する前記接続制御の再実行を要求せず、
前記ソース機器との間に物理的な接続断、または、前記ソース機器の制御による前記接続制御の再実行が行われた場合には、計数している前記接続制御の再実行を要求した回数をリセットすることを特徴とする表示装置。
【請求項３】
前記ソース機器から入力される画像データが動画像データであり、前記判定手段によって、前記ソース機器から入力される画像データが前記伝送条件に適合しないと判定された場合に、前記ソース機器から入力された画像データから生成した静止画像を前記表示手段により表示することを特徴とする請求項１または２記載の表示装置。
【請求項４】
前記所定のインターフェイスはＤｉｓｐｌａｙＰｏｒｔ規格に準拠したインターフェイスであり、
前記接続制御手段は、前記ソース機器との間で、前記接続制御としてＤｉｓｐｌａｙＰｏｒｔ規格に規定されたリンクトレーニングを実行し、前記伝送条件として、画像データの転送に使用するメインリンクの使用レーン数及び各レーンのデータ転送レートを設定することを特徴とする請求項２記載の表示装置。
【請求項５】
前記判定手段は、前記リンクトレーニングで設定されたメインリンクの使用レーン数及び各レーンのデータ転送レートと、前記ソース機器から入力された画像データの転送に必要な伝送路容量とを比較することで、前記伝送条件に適合するか否かを判定することを特徴とする請求項４記載の表示装置。
【請求項６】
前記判定手段によって、前記ソース機器から入力される画像データが前記伝送条件に適合しないと判定され、それ以前に前記要求手段が前記接続制御の再実行を要求した回数が所定の制限回数に達した場合、前記要求手段は、前記ソース機器に対する前記接続制御の再実行を要求しないことを特徴とする請求項１記載の表示装置。
【請求項７】
前記要求手段は、前記接続制御の再実行を要求した回数を計数する機能を備え、
前記ソース機器との間に物理的な接続断、または、前記ソース機器の制御による前記接続制御の再実行が行われた場合には、計数している前記接続制御の再実行を要求した回数をリセットすることを特徴とする請求項６記載の表示装置。
【請求項８】
前記判定手段によって、前記ソース機器から入力される画像データが前記伝送条件に適合するか否かが判定される前には、前記表示手段によって前記ソース機器から入力された画像データに基づく画像を表示しないことを特徴とする請求項１から７のいずれかに記載の表示装置。
【請求項９】
画像データを出力するソース機器に対してＤｉｓｐｌａｙＰｏｒｔ規格に準拠したインターフェイスを介して接続される表示装置の制御方法であって、
前記ソース機器と制御情報を送受信して、前記ソース機器から出力される画像データの伝送路容量を含む伝送条件を設定する接続制御として、ＤｉｓｐｌａｙＰｏｒｔ規格に規定されたリンクトレーニングを実行し、前記伝送条件として画像データの転送に使用するメインリンクの使用レーン数及び各レーンのデータ転送レートを設定し、
前記接続制御の後に、前記ソース機器から入力される画像データが前記伝送条件に適合するか否かを、前記リンクトレーニングで設定されたメインリンクの使用レーン数及び各レーンのデータ転送レートと、前記ソース機器から入力された画像データの転送に必要な伝送路容量とを比較することで判定し、
前記ソース機器から入力される画像データが前記伝送条件に適合しないと判定した場合に、前記ソース機器に対して前記接続制御の再実行を要求すること、
を特徴とする表示装置の制御方法。
【請求項１０】
画像データを出力するソース機器に対して所定のインターフェイスを介して接続される表示装置の制御方法であって、
前記ソース機器と制御情報を送受信して、前記ソース機器から出力される画像データの伝送路容量を含む伝送条件を設定する接続制御を実行し、
前記接続制御の後に、前記ソース機器から入力される画像データが前記伝送条件に適合するか否かを判定し、
前記ソース機器から入力される画像データが前記伝送条件に適合しないと判定した場合に、前記ソース機器に対して前記接続制御の再実行を要求し、
前記接続制御の再実行を要求した回数を計数し、
前記ソース機器から入力される画像データが前記伝送条件に適合しないと判定し、それ以前に前記接続制御の再実行を要求した回数が所定の制限回数に達した場合、前記ソース機器に対する前記接続制御の再実行を要求せず、
前記ソース機器との間に物理的な接続断、または、前記ソース機器の制御による前記接続制御の再実行が行われた場合には、計数している前記接続制御の再実行を要求した回数をリセットすること、
を特徴とする表示装置の制御方法。
【請求項１１】
前記ソース機器から入力される画像データが動画像データであり、前記ソース機器から入力される画像データが前記伝送条件に適合しないと判定した場合に、前記ソース機器から入力された画像データから生成した静止画像を表示すること、
を特徴とする請求項９または１０に記載の表示装置の制御方法。
【発明の詳細な説明】
【技術分野】
【０００１】
本発明は、他の装置から入力される画像データに基づく画像を表示する表示装置、及び、表示装置の制御方法に関する。
【背景技術】
【０００２】
従来、画像データを出力する装置と表示装置とを接続するインターフェイスとして、ディスプレイポート（ＤｉｓｐｌａｙＰｏｒｔ（商標）、以下ＤＰという）規格等の高機能なインターフェイスが提案されている。この種のインターフェイスは、表示装置と他の装置との間で、画像データを転送する条件等の各種の情報を送受信して相互に設定を行う機能を有する。これにより、ユーザーが面倒な設定作業を行わなくても、画像データを転送する条件を適切に設定できるという利点がある。このため、例えばパーソナルコンピューターに搭載される例がある（例えば、特許文献１参照）。
【先行技術文献】
【特許文献】
【０００３】
【特許文献１】特開２０１０−１３０２２５号公報
【発明の概要】
【発明が解決しようとする課題】
【０００４】
上記従来のインターフェイスを介して表示装置を他の装置に接続した場合、装置の誤動作や設定情報の保存に失敗した場合など、設定が済んだ後に、設定された条件とは違った画像データが表示装置に入力されることがある。このような場合、表示装置における表示態様が乱れ、満足な表示品質が得られない可能性があった。また、このような事態を解消するためにはユーザーが設定をやり直す作業を行う必要があり、煩雑であった。
本発明は、上述した事情に鑑みてなされたものであり、画像データを出力する装置に対して制御情報を送受信可能に接続された表示装置により、設定された条件に適合しない画像データが入力された場合に、正常な表示ができるようにすることを目的とする。
【課題を解決するための手段】
【０００５】
上記目的を達成するために、本発明は、画像データを出力するソース機器に対して所定のインターフェイスを介して接続される表示装置であって、前記ソース機器から入力された画像データに基づく画像を表示する表示手段と、前記ソース機器と制御情報を送受信して、前記ソース機器から出力される画像データの伝送路容量を含む伝送条件を設定する接続制御を実行する接続制御手段と、前記接続制御の後に、前記ソース機器から入力される画像データが前記伝送条件に適合するか否かを判定する判定手段と、前記判定手段によって、前記ソース機器から入力される画像データが前記伝送条件に適合しないと判定された場合に、前記ソース機器に対して前記接続制御の再実行を要求する要求手段と、を備えたことを特徴とする。
本発明によれば、ソース機器との接続制御を行った後に、この接続制御で設定された伝送条件に適合しない画像データがソース機器から入力された場合に、接続制御を再実行できる。これにより、ソース機器の誤動作等が発生しても表示品質を低下させることなく、接続制御を再実行することでソース機器の動作の正常化を図ることができ、正常に画像を表示できる。
【０００６】
また、本発明は、上記表示装置において、前記所定のインターフェイスはＤＰ規格に準拠したインターフェイスであり、前記接続制御手段は、前記ソース機器との間で、前記接続制御としてＤＰ規格に規定されたリンクトレーニングを実行し、前記伝送条件として、画像データの転送に使用するメインリンクの使用レーン数及び各レーンのデータ転送レートを設定することを特徴とする。
本発明によれば、ソース機器から表示装置に対し、リンクトレーニングにより設定されたメインリンクの使用レーン数及び各レーンのデータ転送レートに適合しない画像データが入力された場合に、リンクトレーニングを再実行して、正常な表示を行うことができる。
【０００７】
また、本発明は、上記表示装置において、前記判定手段は、前記リンクトレーニングで設定されたメインリンクの使用レーン数及び各レーンのデータ転送レートと、前記ソース機器から入力された画像データの転送に必要な伝送路容量とを比較することで、前記伝送条件に適合するか否かを判定することを特徴とする。
本発明によれば、ソース機器から入力される画像データが伝送条件に適合するか否かを、速やかに、かつ正確に判定できる。
【０００８】
また、本発明は、上記表示装置において、前記判定手段によって、前記ソース機器から入力される画像データが前記伝送条件に適合しないと判定され、それ以前に前記要求手段が前記接続制御の再実行を要求した回数が所定の制限回数に達した場合、前記要求手段は、前記ソース機器に対する前記接続制御の再実行を要求しないことを特徴とする。
本発明によれば、物理的な故障等により接続制御の再実行を要求する動作を繰り返しても改善しない場合に、無駄な動作を防止できる。
【０００９】
また、本発明は、上記表示装置において、前記要求手段は、前記接続制御の再実行を要求した回数を計数する機能を備え、前記ソース機器との間に物理的な接続断、または、前記ソース機器の制御による前記接続制御の再実行が行われた場合には、計数している前記接続制御の再実行を要求した回数をリセットすることを特徴とする。
本発明によれば、接続制御の再実行を繰り返すことが有効な場合と、そうでない場合とに対応して、効率よく制御を行うことができる。
【００１０】
また、本発明は、上記表示装置において、前記判定手段によって、前記前記ソース機器から入力される画像データが前記伝送条件に適合するか否かが判定される前には、前記表示手段によって前記ソース機器から入力された画像データに基づく画像を表示しないことを特徴とする。
本発明によれば、伝送条件に適合しない画像を表示しないので、表示品質の低下を防止できる。
【００１１】
また、本発明は、上記表示装置において、前記ソース機器から入力される画像データが動画像データであり、前記判定手段によって、前記前記ソース機器から入力される画像データが前記伝送条件に適合しないと判定された場合に、前記表示手段によって前記ソース機器から入力された画像データから生成した静止画像を前記表示手段により表示することを特徴とする。
本発明によれば、ソース機器から入力される動画像データが伝送条件に適合しない場合であっても、ユーザーに画像データの内容を知らせることができる。
【００１２】
また、上記目的を達成するために、本発明は、画像データを出力するソース機器に対して所定のインターフェイスを介して接続される表示装置の制御方法であって、前記ソース機器と制御情報を送受信して、前記ソース機器から出力される画像データの伝送路容量を含む伝送条件を設定する接続制御を実行し、前記接続制御の後に、前記ソース機器から入力される画像データが前記伝送条件に適合するか否かを判定し、前記ソース機器から入力される画像データが前記伝送条件に適合しないと判定した場合に、前記ソース機器に対して前記接続制御の再実行を要求すること、を特徴とする。
本発明によれば、ソース機器との接続制御を行った後に、この接続制御で設定された伝送条件に適合しない画像データがソース機器から入力された場合に、接続制御を再実行できる。これにより、ソース機器の誤動作等が発生しても表示品質を低下させることなく、接続制御を再実行することでソース機器の動作の正常化を図ることができ、正常に画像を表示できる。
【発明の効果】
【００１３】
本発明によれば、ソース機器の誤動作等が発生しても表示品質を低下させることなく、接続制御を再実行してソース機器の動作の正常化を図ることができ、正常に画像を表示できる。
【図面の簡単な説明】
【００１４】
【図１】投射システムを構成するプロジェクター及びＰＣの機能ブロック図である。
【図２】ＤＰプロトコルにおけるリンクトレーニングを示すシーケンス図である。
【図３】画像データの適否を判定する条件の例を示す説明図である。
【図４】プロジェクターの動作を示すフローチャートである。
【発明を実施するための形態】
【００１５】
以下、図面を参照して本発明を適用した実施形態について説明する。
図１は、実施形態に係るプロジェクションシステム１を構成するプロジェクター１０及びＰＣ（パーソナルコンピューター）５０の機能的構成を示すブロック図である。この図１に示すプロジェクションシステム１は、スクリーンＳＣ（投射面）に画像を投射する表示装置としてのプロジェクター１０に、画像を供給する画像供給装置としてのＰＣ５０を接続して構成される。
プロジェクター１０は、ＰＣ５０等のコンピューターや各種画像プレーヤー等の外部の画像供給装置（図示略）に、ケーブル１ａ及びＩ／Ｆ（インターフェイス）１１を介して接続され、インターフェイス１１に入力されるデジタル画像データに基づく画像をスクリーンＳＣに投射する。
【００１６】
プロジェクター１０は、大きく分けて光学的な画像の形成を行う投射部２０（表示手段）と、この投射部２０に入力される画像信号を電気的に処理する画像処理系とからなる。投射部２０は、照明光学系２１、光変調装置２２（変調手段）、及び投射光学系２３（投射手段）から構成されている。照明光学系２１は、キセノンランプ、超高圧水銀ランプ、ＬＥＤ（Ｌｉｇｈｔ  Ｅｍｉｔｔｉｎｇ  Ｄｉｏｄｅ）、レーザー光源等からなる光源を備えている。また、照明光学系２１は、光源が発した光を光変調装置２２に導くリフレクター及び補助リフレクターを備えていてもよく、投射光の光学特性を高めるためのレンズ群（図示略）、偏光板、或いは光源が発した光の光量を光変調装置２２に至る経路上で低減させる調光素子等を備えたものであってもよい。照明光学系２１には、制御部１４の制御に従って照明光学系２１の光源を駆動する光源駆動部３５が接続されている。
【００１７】
光変調装置２２は、後述する画像処理系からの信号を受けて、照明光学系２１が発した光を変調して画像光とする。光変調装置２２の具体的な構成としては、例えば、ＲＧＢの各色に対応した３枚の透過型または反射型の液晶ライトバルブを用いた方式が挙げられる。光変調装置２２は、後述する光変調装置駆動部３３によって駆動され、各液晶パネルにマトリクス状に配置された各画素における光の透過率を変化させることにより、画像を形成する。
照明光学系２１が発した光は、ダイクロイックミラー等によりＲ、Ｇ、Ｂの各色光に分離されて、光変調装置２２が備える各色の液晶パネルに入射し、各色の液晶パネルによって各色光が変調され、その後、クロスダイクロイックプリズムにより各色光が合成されて、投射光学系２３に導かれる。
【００１８】
投射光学系２３は、光変調装置２２で変調された入射光をスクリーンＳＣ上に投射して結像させるためのレンズ群等を備えて構成される。また、投射光学系２３は、投射光量を絞る絞り等を調整するためのモーター類を備え、制御部１４の制御に従って上記モーター等を駆動する投射光学系駆動部３４が接続されている。
プロジェクター１０は、ズーム調整レバー（図示略）やフォーカス調整レバー（図示略）を備え、これらのレバーの操作によって、投射光学系２３が有するレンズを移動させ、スクリーンＳＣ上の投射画像の拡大、縮小及びフォーカス調整が行われる。
【００１９】
画像処理系は、プロジェクター１０全体を統合的に制御する制御部１４を中心に構成され、制御部１４が処理するデータや制御部１４が実行する制御プログラムを記憶した記憶部１５、リモコンや操作パネルによる操作を検出する入力処理部１６、画像データを処理する画像処理部３１、画像処理部３１から出力される画像信号に基づいて光変調装置２２を駆動して描画を行う光変調装置駆動部３３を備えている。
【００２０】
制御部１４は、記憶部１５に記憶された制御プログラムを読み出して実行することにより、プロジェクター１０の各部を制御する。制御部１４は、入力処理部１６から入力される操作情報に基づいて、ユーザーが行った操作の内容を検出し、この操作に応じて画像処理部３１、光変調装置駆動部３３、投射光学系駆動部３４及び光源駆動部３５を制御して、スクリーンＳＣに画像を投射させる。
【００２１】
入力処理部１６は、プロジェクター１０を操作するリモコン（図示略）が送信する無線信号を受信してデコードし、リモコンにおける操作を検出する機能、及び、プロジェクター１０の操作パネル（図示略）におけるボタン操作を検出する機能を有する。入力処理部１６は、リモコンや操作パネルにおける操作を示す操作信号を生成して、制御部１４に出力する。また、入力処理部１６は、制御部１４の制御に従い、プロジェクター１０の動作状態や設定状態に応じて操作パネル（図示略）のインジケーターランプの点灯状態を制御する。
【００２２】
インターフェイス１１は、デジタル画像データが入力される端子やインターフェイス回路等を備え、本実施形態では、ＶＥＳＡ（Ｖｉｄｅｏ  Ｅｌｅｃｔｒｏｎｉｃｓ  Ｓｔａｎｄａｒｄｓ  Ａｓｓｏｃｉａｔｉｏｎ）により発表されたＤｉｓｐｌａｙＰｏｒｔ（商標）規格に準拠したコネクターを備えた構成とする。ここでいうＤｉｓｐｌａｙＰｏｒｔ（以下、ＤＰ規格と表記する）は、現在発表されているＶｅｒｓｉｏｎ１．０、１．１ａ、１．２を含み、今後発表される後継規格、拡張規格にも本発明を適用可能である。インターフェイス１１は、ＤＰ規格に準拠したケーブル１ａにより、後述するＰＣ５０が備えるインターフェイス５８に有線接続される。
【００２３】
また、インターフェイス１１には、ＤＰ規格に準拠したインターフェイス回路を備え、ＤＰプロトコルを実行してデータを送受信するＤＰ受信部１２が接続されている。インターフェイス１１とＤＰ受信部１２とを含めて、ＤＰインターフェイスに相当する。
ＤＰ受信部１２には、インターフェイス１１を介してＰＣ５０から入力される画像データのスケーリング処理を実行する変換処理部１３が接続されている。変換処理部１３は、画像データの解像度の変換処理等を実行し、処理後の画像データを制御部１４に出力する。なお、プロジェクションシステム１においてＰＣ５０からプロジェクター１０に伝送される画像データは、動画像（映像）データが考えられるが、静止画像データであってもよい。
【００２４】
画像処理部３１は、制御部１４の制御に従って、変換処理部１３が出力した画像データを取得して、画像サイズ或いは解像度、静止画像か動画像であるかの別、動画像の場合はフレームレート等の画像データの属性を判定する。そして、画像処理部３１は、フレーム毎にフレームメモリー３２に画像を展開する。また、画像処理部３１は、取得した画像データの解像度が光変調装置２２の液晶パネルの表示解像度と異なる場合には解像度変換処理を行い、リモコンや操作パネルの操作によりズームが指示された場合には拡大／縮小処理を行って、これらの処理後の画像をフレームメモリー３２に展開する。その後、画像処理部３１は、フレームメモリー３２に展開したフレーム毎の画像を表示信号として光変調装置駆動部３３に出力する。
【００２５】
一方、ＰＣ５０は、プログラムを実行してＰＣ５０の各部を制御するＣＰＵ５１、ＣＰＵ５１が実行する制御プログラムや制御プログラムで処理されるデータを不揮発的に記憶するＲＯＭ５２、ＣＰＵ５１が実行するプログラムや処理されるデータを一時的に記憶するＲＡＭ５３、キーボードやマウス等の入力デバイス（図示略）による入力操作を検出する入力部５４、液晶ディスプレイ等の表示デバイス（図示略）に表示信号を出力して、ＣＰＵ５１による処理結果や操作用の画面を表示させる表示部５５、及び、ＣＰＵ５１が実行するアプリケーションプログラムや各種データを不揮発的に記憶する記憶部５６を備えている。
また、ＰＣ５０は、画像データを出力する出力用のインターフェイスとして、ＤＰ送信部５７及びインターフェイス５８を備えている。
【００２６】
ＣＰＵ５１は、ＲＯＭ５２に記憶された制御プログラムを読み出して実行し、ＰＣ５０の各部の初期化を行う。その後、ＣＰＵ５１は、入力部５４における入力操作に従って、記憶部５６に記憶されたアプリケーションプログラムを読み出して実行することにより、各種機能を実現する。例えば、ＣＰＵ５１は、入力部５４における入力操作に従って、ＣＰＵ５１がアプリケーションプログラムを実行することにより生成した画像データ、記憶部５６に記憶している画像データ、表示部５５によって表示デバイス（図示略）に表示されている画像の画像データ、或いは、外部の記録媒体や別の装置から取得した画像データを、プロジェクター１０に出力する。
【００２７】
インターフェイス５８は、インターフェイス１１と同様に、ＤＰ規格に準拠したコネクターを備えている。インターフェイス５８には、ＤＰ規格に準拠したインターフェイス回路を備え、ＤＰプロトコルを実行してデータを送受信するＤＰ送信部５７が接続されている。これらＤＰ送信部５７及びインターフェイス５８はＤＰインターフェイスに相当する。
ＣＰＵ５１は、ＤＰ送信部５７を制御して、ＤＰプロトコルに従って後述するリンクトレーニングを実行し、プロジェクター１０との間に伝送路を確立し、画像データを送受信可能な状態に移行する。その後、ＣＰＵ５１は、プロジェクター１０に出力する画像データを、ＤＰ規格に準拠したデータ形式の画像データに変換して、ＤＰ送信部５７に出力する。ＤＰ送信部５７は、ＣＰＵ５１から入力された画像データを、ＤＰプロトコルに従って、インターフェイス５８からケーブル１ａを介してプロジェクター１０に送信する。
【００２８】
以上のように構成されるプロジェクションシステム１において、プロジェクター１０が有する制御部１４は、記憶部１５が記憶する制御プログラムを実行することにより、接続制御部４１、入力データ判定部４２、投射制御部４３、及び補正制御部４４の機能を実現する。
接続制御部４１（接続制御手段、要求手段）は、インターフェイス１１にケーブル１ａを介してＰＣ５０が接続されたことを検出し、後述するように、ＤＰプロトコルに従ってリンクトレーニングを実行する。本実施形態のプロジェクションシステム１では、ＰＣ５０がソース機器、プロジェクター１０がシンク機器に対応する。
ＤＰインターフェイスは、相手機器との接続を検出するホットプラグディテクトチャネル、制御データを伝送する補助（ＡＵＸ）チャネル、及び、画像データ等のデータを伝送するメインリンクを有する。メインリンクは複数のＳｅｒｄｅｓレーンで構成される。例えば、ＤｉｓｐｌａｙＰｏｒｔ  Ｖｅｒｓｉｏｎ１．２では、４つのレーンが使用可能であり、伝送する画像データの解像度及びデータ転送レートに応じて、使用するレーンを１レーン、２レーン、４レーンの３通りの中から選択できる。また、各レーンの帯域幅（データ転送レート）は、１．６２Ｇｂｐｓ、２．７ＧＢｐｓ、５．４ＧＢｐｓの３段階に設定可能である。従って、伝送路容量の最大値は、５．４ＧＢｐｓで４レーンを使用した場合の２１．６ＧＢｐｓである。
リンクトレーニングは、ＤＰインターフェイスを介して接続された送信側（ソース側）の装置と受信側（シンク側）の装置とが、ＥＤＩＤ（Ｅｎｈａｎｃｅｄ  Ｄｉｓｐｌａｙ  Ｉｄｅｎｔｉｆｉｃａｔｉｏｎ  Ｄａｔａ）、ＤＰＣＤ（ＤｉｓｐｌａｙＰｏｒｔ  Ｃｏｎｆｉｇｕｒａｔｉｏｎ  Ｄａｔａ）等のデータを送受信することにより、画像データの伝送に使用するレーン数、各レーンのデータ転送レートを決定する。ＥＤＩＤは、プロジェクター１０のベンダー名、製品名、バージョン等の情報、ビデオ入力の定義、最大表示解像度、ガンマ値等の基本的なディスプレイパラメーター、色度や白色点等のカラー特性、タイミング情報等を含む。ＤＰＣＤは、プロジェクター１０が受信可能な画像データの解像度や伝送路容量等に関する設定値を含む。
【００２９】
図２は、リンクトレーニングのシーケンス図である。
図２に示す画像データを出力する側のソース側ブロック７０ａは、ＣＰＵ５１、ＤＰ送信部５７及びインターフェイス５８により構成され、画像データが入力される側のシンク側ブロック７０ｂは、制御部１４、ＤＰ受信部１２及びインターフェイス１１により構成される。また、ソース側ブロック７０ａ及びシンク側ブロック７０ｂが備える各機能ブロックは、ＣＰＵ５１及び接続制御部４１が実行するソフトウェアによって実現することも可能であるし、ＦＰＧＡ等のハードウェアによって実現することも可能である。
【００３０】
ソース側ブロック７０ａの機能は、ソース側物理レイヤー７１、ソース側リンクレイヤー７２、ソース側リンクポリシーメーカー７３、及びソース側ストリームポリシーメーカー７４で構成される。一方、シンク側ブロック７０ｂの機能は、シンク側物理レイヤー７６、シンク側リンクレイヤー７７、シンク側リンクポリシーメーカー７８、及びシンク側ストリームポリシーメーカー７９で構成される。
リンクトレーニングは、ホットプラグディテクトチャネルを介して、ソース側ブロック７０ａとシンク側ブロック７０ｂが相互に接続を検出することで、開始される。ケーブル１ａ（図１）によりプロジェクター１０とＰＣ５０とが接続されると、シンク側物理レイヤー７６がソース機器の接続を検出して（ステップＳ１１）、シンク側リンクレイヤー７７がシンク側リンクポリシーメーカー７８に対して接続を通知する（ステップＳ１２）。
シンク側リンクポリシーメーカー７８は、シンク側ストリームポリシーメーカー７９に接続検出を通知する（ステップＳ１３）。
一方、ソース側物理レイヤー７１がシンク機器の接続を検出すると（ステップＳ２１）、ソース側リンクレイヤー７２がシンク機器の接続をソース側リンクポリシーメーカー７３に通知し（ステップＳ２２）、さらにソース側リンクポリシーメーカー７３がソース側ストリームポリシーメーカー７４に接続検出を通知する（ステップＳ２３）。
【００３１】
ソース側ストリームポリシーメーカー７４は、ＥＤＩＤの読み出し要求を生成して、ソース側リンクレイヤー７２及びソース側物理レイヤー７１を介してシンク側ブロック７０ｂに送信する（ステップＳ３１）。シンク側ブロック７０ｂでは、シンク側ストリームポリシーメーカー７９がＥＤＩＤの読み出し要求を受信し（ステップＳ３２）、この要求に応じてＥＤＩＤを送信する（ステップＳ３３）。このＥＤＩＤはシンク側リンクレイヤー７７及びシンク側物理レイヤー７６を介してソース側ブロック７０ａに伝送される。ソース側ブロック７０ａでは、ソース側ストリームポリシーメーカー７４がＥＤＩＤを取得し（ステップＳ３４）、続いてリンク接続要求をソース側リンクポリシーメーカー７３に出力する（ステップＳ４１）。
【００３２】
ソース側リンクポリシーメーカー７３は、ソース側ストリームポリシーメーカー７４のリンク接続要求に応じて、ＤＰＣＤの読み出し要求をシンク側ブロック７０ｂに送信する（ステップＳ４２）。シンク側ブロック７０ｂでは、シンク側リンクポリシーメーカー７８がＤＰＣＤ読み出し要求を受信して（ステップＳ４３）、この要求に応じてＤＰＣＤを送信する（ステップＳ４４）。ここで、ソース側リンクポリシーメーカー７３が、シンク側リンクポリシーメーカー７８が送信したＤＰＣＤを取得する（ステップＳ４５）。
【００３３】
ソース側リンクポリシーメーカー７３及びソース側ストリームポリシーメーカー７４は、シンク側ブロック７０ｂから取得したＥＤＩＤ及びＤＰＣＤに基づいて使用レーン数及びデータ転送レートを含む伝送条件を決定し、この伝送条件によるデータ伝送が可能な否かの確認する処理を行う。すなわち、ソース側リンクポリシーメーカー７３が伝送条件と通信状態の確認用のパケットを送信し（ステップＳ５１）、この確認用のパケットに基づいてソース側物理レイヤー７１とシンク側物理レイヤー７６との間で通信テストが試行され（ステップＳ５２）、通信テストの結果がシンク側物理レイヤー７６から通知される（ステップＳ５３）。シンク側リンクポリシーメーカー７８は、通信テストの結果と、伝送条件とを取得し（ステップＳ５４）、シンク側ストリームポリシーメーカー７９に対して接続確立を通知する（ステップＳ５５）。これにより、シンク側ストリームポリシーメーカー７９が画像データを受信可能な状態に移行する。
また、通信テストの結果はシンク側物理レイヤー７６からソース側ブロック７０ａにも通知され（ステップＳ５６）、この結果をソース側リンクポリシーメーカー７３が取得し（ステップＳ５７）、ソース側ストリームポリシーメーカー７４に対して接続確立を通知する（ステップＳ５８）。
その後、ソース側ストリームポリシーメーカー７４は、画像データの伝送を実行し（ステップＳ６１）、この画像データはシンク側ストリームポリシーメーカー７９により受信される（ステップＳ６２）。
【００３４】
このように、リンクトレーニングは、以下の４段階の手順で実行される。
１．ホットプラグ検出（ステップＳ１１〜Ｓ２３）。
２．ＥＤＩＤの取得（ステップＳ３１〜Ｓ３４）。
３．ＤＰＣＤの取得（ステップＳ４１〜Ｓ４５）。
４．伝送条件の決定及び通信状態の確認（ステップＳ５１〜Ｓ５８）。
そして、リンクトレーニングによって伝送条件が決定され、ソース機器及びシンク機器で伝送条件が設定され、この伝送条件に従って画像データが伝送される。
【００３５】
しかしながら、リンクトレーニングが正常に完了した場合であっても、ソース機器が、リンクトレーニングにより設定された伝送条件から逸脱した画像データを出力することがある。例えば、リンクトレーニングで設定された伝送路容量を超える帯域幅の画像データが出力されることがある。このような場合、シンク機器では、画像データの受信を正常に行うことができず、乱れた画像が表示される。このような事態を回避するため、プロジェクター１０は、リンクトレーニングの後に入力される画像データが、リンクトレーニングで設定された伝送条件に適合しているか否かを判定し、対処する機能を有する。
【００３６】
制御部１４が備える接続制御部４１は、ホットプラグディテクトチャネルを介してＰＣ５０との接続を検出し、リンクトレーニングを実行し、リンクトレーニングにより決定された伝送条件（使用レーン数及び各レーンのデータ転送レート）を記憶部１５に記憶して、その後の伝送条件として設定する。
また、入力データ判定部４２（判定手段）は、リンクトレーニングの後にインターフェイス１１を介して入力される画像データの帯域幅を検出し、接続制御部４１が設定した伝送条件に適合するデータか否かを判定する。
【００３７】
図３は、入力データ判定部４２が画像データの適否を判定する条件の例を、テーブルの形態で示す説明図である。
図３に示すテーブルＴは、画像データ（画像信号）の態様と必要な伝送路容量とが定義されたテーブルＴａと、テーブルＴａに定義された各態様が伝送条件に適しているか否かを定めるテーブルＴｂとで構成される。このテーブルＴは、例えば、記憶部１５に記憶されており、必要に応じて制御部１４が参照可能である。
テーブルＴａには、典型的な画像データの態様の例が、データタイプ名、水平解像度（Ｈ）、垂直解像度（Ｖ）、フレームレート（ｆｐｓ）、画素毎のビット数により分類されている。そして、画像データの態様から求められる伝送路容量が対応づけられている。
例えば、ＸＧＡ（１０２４×７６８）、６０ｆｐｓ、２４ビットの画像データを伝送するために必要な伝送路容量は、１．１３Ｇｂｐｓと求められる。同様に、ＷＱＸＧＡ（２５６０×１６００）、６０ｆｐｓ、３０ビットの画像データの伝送に必要な伝送路容量は７．３７Ｇｂｐｓである。
【００３８】
テーブルＴｂには、プロジェクター１０で使用可能な伝送条件が列挙されている。図３の例では、データ転送レート（１．６２Ｇｂｐｓ、２．７Ｇｂｐｓ、５．４Ｇｂｐｓの３段階）と使用レーン数（１レーン、２レーン、４レーンの３通り）の組み合わせ毎に、伝送路容量が対応づけて定義されている。この伝送路容量は、使用するレーン数とデータ転送レートを乗じて求めることができる。このテーブルＴｂは、ＤＰ規格に定義された全ての伝送条件に対応するものではなく、プロジェクター１０が対応可能なデータ転送レート及びレーン数に限って定義されている。例えば、プロジェクター１０が５．４Ｇｂｐｓのデータ転送レートに対応していない場合は、データ転送レートが１．６２Ｇｂｐｓと２．７Ｇｂｐｓの場合のみがテーブルＴｂに設定される。テーブルＴａについても、プロジェクター１０が表示可能な態様（解像度、フレームレート、ビット数等）に限定して設定されている。
入力データ判定部４２は、インターフェイス１１を介して入力された画像データの解像度、フレームレート、ビット数を特定し、テーブルＴａに基づいて、必要な伝送路容量を得る。例えば、伝送条件が１．６２Ｇｂｐｓ、１レーンに設定されている場合、テーブルＴｂより、伝送路容量は１．６２Ｇｂｐｓである。この場合に、ＸＧＡ（１０２４×７６８）、６０ｆｐｓ、３６ビットの画像データが入力された場合、テーブルＴａより、この画像データの伝送に必要な伝送路容量は１．７０Ｇｂｐｓである。この例では、入力された画像データの伝送路容量が、設定された伝送条件の容量を超えているので、伝送条件に適合しないと判定される。テーブルＴｂには、テーブルＴａに設定された態様と、テーブルＴｂの伝送条件毎に、適否（適合する例に○）が既に定義されている。従って、入力データ判定部４２は、入力された画像データの態様をテーブルＴａから探索し、設定されている伝送条件をテーブルＴｂから探索し、適否の定義を参照するだけで、画像データの適否を判定できる。
なお、図３の例では、画像データの解像度、フレームレート、ビット数を乗じて伝送路容量を求め、この容量を、データ転送レートと使用レーン数とを乗じた容量と比較する例について説明したが、符号化によるオーバーヘッドを加味した判定結果がテーブルＴｂに設定されていてもよい。
また、テーブルＴａに設定されていない態様（解像度、フレームレート、ビット数等）の画像データが入力された場合、入力データ判定部４２は、検出した画像データの態様に基づいて、その都度、必要な伝送路容量を算出してもよい。
【００３９】
図１の接続制御部４１は、入力データ判定部４２によって、インターフェイス１１に入力された画像データがリンクトレーニングにより設定された伝送条件に適合しないと判定された場合に、ＰＣ５０に対して、リンクトレーニングの再実行を要求する。この要求をＤＰ送信部５７が受信すると、ＣＰＵ５１は、図２に示したリンクトレーニングを開始する。この場合、ソース側物理レイヤー７１及びシンク側物理レイヤー７６が接続を検出する動作（ステップＳ１１、Ｓ２１）から処理を実行してもよいし、ソース側リンクポリシーメーカー７３がソース側ストリームポリシーメーカー７４に接続検出を通知する処理（ステップＳ２３）、或いはソース側ストリームポリシーメーカー７４がＥＤＩＤの読み出し要求を送信する処理（ステップＳ３１）から実行してもよい。
これにより、リンクトレーニングがやり直され、ＰＣ５０は改めて伝送条件を設定する。従って、ＰＣ５０における伝送条件の設定に不具合があったこと等が原因で、伝送条件に適合しない画像データが出力されていた場合には、この不具合が解消され、正常に画像データが伝送される。
【００４０】
また、接続制御部４１は、ＰＣ５０に対してリンクトレーニングの再実行を要求する毎に、再実行の要求回数をカウントする。再実行の要求回数には予め上限値が設定されている。このため、入力データ判定部４２により画像データが伝送条件に適合しないと判定される状態が連続して複数回発生した場合には、カウント値がその都度加算される。そして、カウント値が上限に達した場合、接続制御部４１は、リンクトレーニングの再実行を要求せず、処理を終了する。
これにより、リンクトレーニングの再実行によって解消できない不具合があった場合に、不要なリンクトレーニングを繰り返すことがなくなる。
【００４１】
また、ユーザーがＰＣ５０を操作することにより、或いは、ＰＣ５０に事前に設定されていたプログラムによって、プロジェクター１０が要求することなくＰＣ５０がリンクトレーニングを再実行することも可能である。この場合、ＰＣ５０は、図２に示したリンクトレーニングのシーケンスにおいて、ソース側ストリームポリシーメーカー７４がＥＤＩＤの読み出し要求を送信する処理（ステップＳ３１）を実行すればよい。プロジェクター１０は、ＥＤＩＤの読み出し要求を受信した場合、この要求に応じてＥＤＩＤを送信する処理（ステップＳ３３）を実行すれば良い。
このように、ＰＣ５０の制御によってリンクトレーニングが再実行された場合、接続制御部４１がカウントする再実行のカウント値はクリア（リセット）される。
また、リンクトレーニングを再実行した後、インターフェイス１１に入力された画像データが伝送条件に適合していると判定された場合にも、接続制御部４１がカウントする再実行のカウント値はクリア（リセット）される。
これにより、リンクトレーニングの再実行が有効な場合か否かを適切に切り換えて、有効と思われる場合のみリンクトレーニングを再実行するので、不要なリンクトレーニングの再実行を繰り返すおそれがない。
さらに、プロジェクター１０において、ケーブル１ａを含むＰＣ５０との間の伝送路で物理的な接続断が発生した場合に、接続制御部４１は、接続制御部４１がカウントする再実行のカウント値をクリアする。物理的な接続断は、ケーブル１ａの断線や引き抜き、或いは、ソース側物理レイヤー７１またはシンク側物理レイヤー７６の故障により発生する。このような接続断は、図２に示したシンク側物理レイヤー７６の機能により検出可能である。物理的な接続断が発生した場合はユーザーの作業による復旧が行われ、その後に接続が検出されればリンクトレーニングが再実行されるので、要求回数をクリアすることが好適である。
【００４２】
また、投射制御部４３は、接続制御部４１、入力データ判定部４２及び投射制御部４３の処理に対応して、光変調装置駆動部３３の動作を制御することにより、投射部２０による投射を制御する。
具体的には、投射制御部４３は、接続制御部４１が接続を検出してリンクトレーニングを開始する際に、投射部２０を停止状態に保つ。この状態は、照明光学系２１の光源が消灯した状態、及び、光源が点灯していて、光変調装置２２が非投射状態（例えば、液晶表示パネルが全面黒表示）である場合を含む。投射制御部４３は、接続制御部４１によるリンクトレーニングが終了し、さらに、入力データ判定部４２によって画像データが伝送条件に適合していると判定された場合に、投射部２０による投射を開始させる。
また、投射制御部４３は、入力データ判定部４２によって、入力された画像データが伝送条件に適合しないと判定された場合に、この画像データの投射を開始させず、投射部２０の停止状態を保持する。
【００４３】
また、補正制御部４４は、プロジェクター１０に対するスクリーンＳＣの傾き（投射角）及びスクリーンＳＣまでの投射距離を算出し、台形歪み補正等の補正処理を実行する。補正制御部４４は、算出した投射角及び投射距離に基づいて、画像処理部３１を制御し、フレームメモリー３２に展開する画像を変形させることによって、スクリーンＳＣ上の投射画像の歪みを補正して、矩形の良好な画像を表示する。補正制御部４４は、スクリーンＳＣ上の投射画像の乱れを検出した場合、操作パネル（図示略）の操作により補正実行が指示された場合等に、投射角と投射距離を算出して、補正用のパラメーターを新たに算出し、算出したパラメーターに従って投射画像を補正する処理を実行する。
【００４４】
図４は、プロジェクター１０の動作を示すフローチャートである。
この図４に示すように、まず、接続制御部４１がケーブル１ａを介した接続を検出すると（ステップＳＴ１１）、投射制御部４３は、投射部２０による投射を停止させる（ステップＳＴ１２）。ここで、投射部２０が既に投射を行っていない場合、投射制御部４３は、投射部２０の停止状態を保持する。
接続制御部４１がリンクトレーニングを実行して、伝送条件を設定し（ステップＳＴ１３）、その後にインターフェイス１１を介して画像データが入力されると、入力データ判定部４２が画像データの解像度、フレームレート、ビット数等を検出する（ステップＳＴ１４）。
入力データ判定部４２は、テーブルＴに従って、入力された画像データが、リンクトレーニングにより設定された伝送条件に適合するか否かを判定する（ステップＳＴ１５）。
【００４５】
画像データが伝送条件に適合しないと判定された場合（ステップＳＴ１５；Ｎｏ）、接続制御部４１は、リンクトレーニングの再実行の要求回数のカウント値を参照し、上限に達しているか否かを判定する（ステップＳＴ１６）。ここで、カウント値が上限値に達していない場合（ステップＳＴ１６；Ｎｏ）、接続制御部４１は要求回数のカウント値を加算（＋１）して（ステップＳＴ１７）、プロジェクター１０に対してリンクトレーニングの再実行を要求し（ステップＳＴ１８）、ステップＳＴ１３に戻る。
また、要求回数のカウント値が上限値に達していた場合（ステップＳＴ１６；Ｙｅｓ）、接続制御部４１は、要求回数のカウント値をクリアして（ステップＳＴ１９）、本処理を終了する。
【００４６】
一方、画像データが伝送条件に適合すると判定された場合（ステップＳＴ１５；Ｙｅｓ）、接続制御部４１は、要求回数のカウント値をクリアし（ステップＳＴ２０）、投射制御部４３は、入力された画像データに基づいて投射部２０により投射を開始させ（ステップＳＴ２１）、本処理を終了する。
【００４７】
以上説明したように、本発明を適用した実施形態に係るプロジェクター１０は、画像データを出力するＰＣ５０に対して所定のインターフェイスを介して接続され、ＰＣ５０から入力された画像データに基づく画像を表示する投射部２０と、ＰＣ５０と制御情報を送受信して、ＰＣ５０から出力される画像データの伝送路容量を含む伝送条件を設定する接続制御を実行する接続制御部４１と、接続制御の後に、ＰＣ５０から入力される画像データが伝送条件に適合するか否かを判定する入力データ判定部４２と、を備え、接続制御部４１は、さらに、入力データ判定部４２によって、ＰＣ５０から入力される画像データが伝送条件に適合しないと判定された場合に、ＰＣ５０に対して接続制御の再実行を要求するので、ＰＣ５０との接続制御を行った後に、この接続制御で設定された伝送条件に適合しない画像データがＰＣ５０から入力された場合に、接続制御を再実行できる。これにより、ＰＣ５０の誤動作等が発生しても表示品質を低下させることなく、制御の再実行によりＰＣ５０の動作の正常化を図ることができ、正常に画像を表示できる。
【００４８】
また、プロジェクター１０が備える所定のインターフェイスはＤＰ規格に準拠したインターフェイスであり、接続制御部４１は、ＰＣ５０との間で、接続制御としてＤＰ規格に規定されたリンクトレーニングを実行し、伝送条件として、画像データの転送に使用するメインリンクの使用レーン数及び各レーンのデータ転送レートを設定するので、リンクトレーニングにより設定された伝送条件に適合しない画像データが入力された場合に、リンクトレーニングを再実行して、ＰＣ５０の動作を正常化させ、正常な表示を行うことができる。
【００４９】
さらに、入力データ判定部４２は、リンクトレーニングで設定されたメインリンクの使用レーン数及び各レーンのデータ転送レートと、ＰＣ５０から入力された画像データの転送に必要な伝送路容量とを比較することで、伝送条件に適合するか否かを、速やかに、かつ正確に判定できる。
また、入力データ判定部４２によって、ＰＣ５０から入力される画像データが伝送条件に適合するか否かが判定される前には、投射部２０によってＰＣ５０から入力された画像データに基づく画像を表示しないので、乱れた画像を表示することがなく、表示品質の低下を防止できる。
【００５０】
また、接続制御部４１は、入力データ判定部４２によって、ＰＣ５０から入力される画像データが伝送条件に適合しないと判定され、それ以前に接続制御部４１がリンクトレーニングの再実行を要求した回数が所定の制限回数に達した場合、ＰＣ５０に対する接続制御の再実行を要求しないので、物理的な故障等、リンクトレーニングの再実行により改善しない不具合に対し、無駄なリンクトレーニングを繰り返さないので、効率よく制御を行える。
【００５１】
また、接続制御部４１は、リンクトレーニングの再実行を要求した回数を計数する機能を備え、ＰＣ５０との間に物理的な接続断、または、ＰＣ５０の制御による接続制御の再実行が行われた場合には、計数している要求回数をクリアするので、リンクトレーニングの再実行が有効な場合か否かを適切に切り換えて、有効と思われる場合のみリンクトレーニングを再実行する。従って、不要なリンクトレーニングの再実行を繰り返すおそれがない。
【００５２】
また、光源を有する照明光学系２１と、照明光学系２１が発した光を変調して画像光を生成する光変調装置２２と、光変調装置２２により生成された画像光をスクリーンＳＣに投射する投射光学系２３とを備えたプロジェクター１０であるため、プロジェクターに入力される画像データが伝送条件に適合しない場合に、投射画像の乱れを防止できる。
さらに、プロジェクター１０は、補正制御部４４によって台形歪み補正等を実行可能であり、この台形歪み補正を行った後に、伝送条件に適合しない画像データが入力されることで、投射画像が大きく乱れることを防止できる。また、投射画像が乱れた場合に、補正制御部４４が自動的に補正処理を開始したり、投射画像の乱れを見てユーザーが補正処理の開始を指示した場合以外補正処理をしてしまったりすることがないので、不要な補正処理を防止できる。
【００５３】
なお、投射制御部４３は、入力データ判定部４２が、入力された画像データが伝送条件に適合しないと判定した場合（ステップＳＴ１５；Ｎｏ）、投射部２０の非表示状態を保持するだけでなく、他の表示を行う構成とすることができる。
例えば、投射制御部４３は、インターフェイス１１を介して入力される画像データが動画像データである場合には、この動画像データの１フレームを抽出して、低解像度の静止画像データ（サムネイル画像データ）を生成し、このサムネイル画像データに基づく画像を投射部２０によって投射させてもよい。
この場合、ＰＣ５０から入力される動画像データが伝送条件に適合しない場合であっても、ユーザーに画像データの内容を知らせることができる。
このような表示は、例えば、リンクトレーニングの再実行の要求回数が上限に達した後（ステップＳＴ１６；Ｙｅｓ）に、行ってもよい。
【００５４】
また、投射制御部４３は、入力データ判定部４２が、入力された画像データが伝送条件に適合しないと判定した場合、或いは、リンクトレーニングの再実行の要求回数が上限に達した後に、入力画像データをローパスフィルターに通して、ぼかし処理を施し、処理後の画像データに基づく画像を投射部２０により投射させてもよい。また、投射制御部４３は、入力画像データを縮小した画像データを生成し、処理後の画像データに基づく画像を投射部２０により投射させてもよい。これらの場合も、乱れた画像を投射することなく、かつ、ユーザーに画像データの内容を知らせることができる。
【００５５】
また、上述した実施形態は本発明を適用した具体的態様の例に過ぎず、本発明を限定するものではなく、上記実施形態とは異なる態様として本発明を適用することも可能である。例えば、上記実施形態では、光変調装置として、ＲＧＢの各色に対応した３枚の透過型または反射型の液晶パネルを用いた構成を例に挙げて説明したが、本発明はこれに限定されるものではなく、例えば、１枚の液晶パネルとカラーホイールを組み合わせた方式、ＲＧＢ各色の色光を変調する３枚のデジタルミラーデバイス（ＤＭＤ）を用いた方式、１枚のデジタルミラーデバイスとカラーホイールを組み合わせた方式等により構成してもよい。ここで、表示部として１枚のみの液晶パネルまたはＤＭＤを用いる場合には、クロスダイクロイックプリズム等の合成光学系に相当する部材は不要である。また、液晶パネル及びＤＭＤ以外にも、光源が発した光を変調可能な構成であれば問題なく採用できる。
また、本発明の表示装置は、スクリーンＳＣに画像を投射するプロジェクターに限定されず、液晶表示パネルに画像／画像を表示する液晶モニターまたは液晶テレビ、或いは、ＰＤＰ（プラズマディスプレイパネル）に画像／画像を表示するモニター装置またはテレビ受像機、ＯＬＥＤ（Ｏｒｇａｎｉｃ  ｌｉｇｈｔ−ｅｍｉｔｔｉｎｇ  ｄｉｏｄｅ）、ＯＥＬ（Ｏｒｇａｎｉｃ  Ｅｌｅｃｔｒｏ−Ｌｕｍｉｎｅｓｃｅｎｃｅ）等と呼ばれる有機ＥＬ表示パネルに画像／画像を表示するモニター装置またはテレビ受像機等の自発光型の表示装置など、各種の表示装置も本発明の画像表示装置に含まれる。この場合、液晶表示パネル、プラズマディスプレイパネル、有機ＥＬ表示パネルが表示手段に相当する。
また、図１に示した各機能部は、プロジェクター１０及びＰＣ５０の機能的構成を示すものであって、具体的な実装形態は特に制限されない。つまり、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００５６】
１…プロジェクションシステム、１ａ…ケーブル、１０…プロジェクター（表示装置）、１１…インターフェイス、１２…ＤＰ受信部、１３…変換処理部、１４…制御部、１５…記憶部、２０…投射部（表示手段）、２１…照明光学系（光源）、２２…光変調装置（変調手段）、２３…投射光学系（投射手段）、４１…接続制御部（接続制御手段、要求手段）、４２…入力データ判定部（判定手段）、４３…投射制御部、４４…補正制御部、５０…ＰＣ（ソース機器）、５１…ＣＰＵ、５６…記憶部、５７…ＤＰ送信部、５８…インターフェイス、７０ａ…ソース側ブロック、７０ｂ…シンク側ブロック、ＳＣ…スクリーン（投射面）。
【図１】
0005994275.tif 000002
【図２】
0005994275.tif 000003
【図３】
0005994275.tif 000004
【図４】
0005994275.tif 000005